(57)【要約】【目的】冷蔵庫の断熱扉の把手部分の構造に関し、把手部の断熱扉の断熱部分を確保し、把手部からのヒートリークおよび把手部の露付を防止し、冷却性能の向上と外観品質を向上した冷蔵庫の扉を提供する。【構成】把手部４からヒートリークが起きない断熱材８の厚さの所まで（Ｂ→Ａ）、上枠２の前面中央部分と前面板３を、同前面板３から前方方向に向かって膨らませて設け、膨らませた部分に指が挿入できる凹部２ａを形成して前記把手部４を設けている。または、下枠の前面中央部分を、前記前面板から前方方向に向かって膨らませて設け、膨らませた部分に指が挿入できる凹部を形成して把手部を設けている。【選択図】  図２
2004316936.tif 000002
【特許請求の範囲】
【請求項１】
断熱扉の前面を被う前面板と、同前面板を挟持する上枠と、下枠と、前記断熱扉の裏面を被うドアバックと、同ドアバックに取付けられ庫内を密閉するガスケットと、前記断熱扉の開閉時に手掛かりとなる把手部及びこれらによって構成される空間に充填される断熱材とからなる冷蔵庫の扉において、
前記把手部からヒートリークが起きない前記断熱材の厚さの所まで、前記上枠もしくは前記下枠の前面部と前記前面板を、前記前面板から前方方向に向かって膨らませて設け、膨らませた部分に指が挿入できる凹部を形成して前記把手部を設けてなることを特徴とする冷蔵庫の扉。
【請求項２】
前記前面板を、前記把手部の前面と連なる膨らみを持たせるように形成してなることを特徴とする請求項１記載の冷蔵庫の扉。
【発明の詳細な説明】
【０００１】
【発明の属する技術分野】
本発明は冷蔵庫の扉に係り、詳しくは断熱扉の把手部分の構造に関するものである。
【０００２】
【従来の技術】
第一の従来例として、図４および図５に示すように、冷蔵庫の断熱扉１１の把手部分の構造は、上枠１２の前面中央部分から下方へ延出する手掛かり部１２ｂを形成し、前記上枠１２の下方に突出し前面板１３を挟持する固定部１２ｃの裏面に、前記前面板１３の絞りによる凹部１３ａを挿入挟持し固定する方法が取られ、前記手掛かり部１２ｂと前記凹部１３ａおよび前記固定部１２ｃとの間に指が挿入できる隙間を設けて把手部１４を形成している（例えば、特許文献１参照）。
【０００３】
また、第二の従来例として、図４および図６に示すように、冷蔵庫の断熱扉２１の把手部分の構造は、下枠１７に指が挿入できる凹部１７ａを形成した把手部１５を設け、前記下枠１７の前面上方に突出し前記前面板１３を挟持する固定部１７ｂの裏面に、前記前面板１３を挿入挟持し、固定する方法が取られていた。
【０００４】
しかしながら、上記のように構成されたものでは、前記各把手部１４、１５には指を挿入する前記凹部１３ａ、１７ａを前記各断熱扉１１、２１内方の断熱材８内の一部に形成しているため、前記各把手部１４、１５の前記各断熱扉１１、２１の断熱部分が薄くなり、前記各把手部１４、１５からのヒートリークが起きる恐れと、前記各把手部１４、１５の露付の恐れのある問題点を有していた。
【０００５】
【特許文献１】
特開平８−３５７６１号公報（第２ー３頁、第１図）
【０００６】
【発明が解決しようとする課題】
本発明においては、上記の問題点に鑑み、冷蔵庫の断熱扉の把手部分の構造に関し、把手部の断熱扉の断熱部分を確保し、把手部からのヒートリークおよび把手部の露付を防止し、冷却性能の向上と外観品質を向上した冷蔵庫の扉を提供することを目的としている。
【０００７】
【課題を解決するための手段】
本発明は、上記問題点を解決するため、断熱扉の前面を被う前面板と、同前面板を挟持する上枠と、下枠と、前記断熱扉の裏面を被うドアバックと、同ドアバックに取付けられ庫内を密閉するガスケットと、前記断熱扉の開閉時に手掛かりとなる把手部及びこれらによって構成される空間に充填される断熱材とからなる冷蔵庫の扉において、
前記把手部からヒートリークが起きない前記断熱材の厚さの所まで、前記上枠もしくは前記下枠の前面部と前記前面板を、前記前面板から前方方向に向かって膨らませて設け、膨らませた部分に指が挿入できる凹部を形成して前記把手部を設けた構成となっている。
【０００８】
前記前面板を、前記把手部の前面と連なる膨らみを持たせるように形成した構成となっている。
【０００９】
【発明の実施の形態】
以下、本発明の実施の形態を、添付図面に基づいた実施例として説明する。
図１は本発明による冷蔵庫の実施例を示す正面図（Ａ）および縦側面図（Ｂ）であり、図２は本発明による冷蔵庫の第一の実施例を示す要部拡大断面図であり、図３は本発明による冷蔵庫の第二の実施例を示す要部拡大断面図である。
なお、従来と同じ部分の符号は同一とする。
【００１０】
図１および図２において、冷蔵庫の断熱扉１の把手部分の構造について、第一の実施例を説明する。
前記把手部４からヒートリークが起きない前記断熱材８の厚さの所まで（Ｂ→Ａ）、上枠２の前面中央部分と前記前面板３を、前記前面板３から前方方向に向かって膨らませて設け、膨らませた部分に指が挿入できる凹部２ａを形成して前記把手部４を設けている。
【００１１】
また、前記上枠２の下方に突出し前記前面板３を挟持する固定部２ｂの裏面に、前記前面板３を挿入挟持し固定する。そして、前記上枠２と、ドアバック９と、ガスケット６と、下枠７とにより構成される空間に断熱材８を充填し、冷蔵庫の扉を構成する。
【００１２】
前記把手部４からヒートリークが起きない前記断熱材８の厚さの所まで（Ｂ→Ａ）、前記把手部４の断熱部分の厚さを保持して、前記把手部４の指を挿入する前記凹部２ａを形成しているため、部品を追加することなく現状の部品のままで、形状を変えることで可能となる。また、前記把手部４からヒートリークを起こさないように前記断熱材８の厚さを確保している場合は、前記断熱扉１の断熱の厚さが厚くできているので、前記断熱扉１の厚さを薄くすることが可能となる。
【００１３】
次に、冷蔵庫の断熱扉１０の把手部分の構造の第二の実施例について説明する。図１（Ｃ）および図３に示すように、第一の実施例を上下反転させたようにして下枠７に把手部５を設ける場合で、前記下枠７の前面中央部分を、前記前面板３から前方方向に向かって膨らませて設け、膨らませた部分に指が挿入できる凹部７ａを形成して前記把手部５を設け、前記下枠７の上方に突出し前記前面板３を挟持する固定部７ｂの裏面に、前記前面板３を挿入挟持し固定する。
そして、前記上枠２と、ドアバック９と、ガスケット６と、下枠７とにより構成される空間に断熱材８を充填し、冷蔵庫の扉を構成する。
【００１４】
また、前記前面板３を、前記把手部５の前面と連なる膨らみを持たせることにより、前記断熱扉１のデザイン上の効果を持たせるようにした方がよい。
【００１５】
上記構成において、前記各把手部４、５からヒートリークが起きない前記断熱材８の厚さの所まで（Ｂ→Ａ）、前記各把手部４、５の断熱部分の厚さを保持して、前記各把手部４、５の指を挿入する前記各凹部２ａ、７ａを、前記各断熱扉１、１０の外方に向かって形成しているため、前記各把手部４、５の前記各断熱扉１、１０の断熱部分が薄くなり、前記各把手部４、５からのヒートリークが起きる恐れと、前記各把手部４、５の露付の恐れのある問題点をなくすことができる。
【００１６】
【発明の効果】
以上に説明したように、本発明によれば、冷蔵庫の断熱扉の把手部分の構造に関し、把手部の断熱扉の断熱部分を確保し、把手部からのヒートリークおよび把手部の露付を防止し、冷却性能の向上と外観品質を向上した冷蔵庫の扉となる。
【図面の簡単な説明】
【図１】本発明による冷蔵庫の実施例を示す正面図（Ａ）および縦側面図（Ｂ）である。
【図２】本発明による冷蔵庫の第一の実施例を示す要部拡大断面図である。
【図３】本発明による冷蔵庫の第二の実施例を示す要部拡大断面図である。
【図４】従来例による冷蔵庫を示す正面図（Ａ）および縦側面図（Ｂ）である。
【図５】第一の従来例の冷蔵庫を示す要部拡大断面図である。
【図６】第二の従来例の冷蔵庫を示す要部拡大断面図である。
【符号の説明】
１、１０  断熱扉
２  上枠
２ａ  凹部
２ｂ  固定部
３  前面板
４、５  把手部
６  ガスケット
７  下枠
７ａ  凹部
７ｂ  固定部
８  断熱材
９  ドアバック
【図１】
2004316936.tif 000003
【図２】
2004316936.tif 000004
【図３】
2004316936.tif 000005
【図４】
2004316936.tif 000006
【図５】
2004316936.tif 000007
【図６】
2004316936.tif 000008